(57)【要約】  【課題】    スクリーンＳｃに対して互いに異なる角度から異なる複数の画像光を投射し、その画像光を互いに異なる拡散角度範囲へ拡散照射してその各拡散角度範囲に存在する人に対してその拡散角度範囲に対応する角度からの画像を表示できるようにする。  【解決手段】一つのスクリーンＳｃに対しオーバーラップなくギャップのない複数の入射角度範囲内の方向から複数の異なる画像光を投射するようにし、スクリーンＳｃがその投射された複数の異なる画像光を異なる方向へオーバーラップなくギャップのない複数の拡散角度範囲内にそれぞれ異なる複数の画像光を拡散させ、スクリーンＳｃに異なる方向へ異なる複数の画像を表示させるようにする。【選択図】  図１
2012247646.tif 000002
【特許請求の範囲】
【請求項１】
一つのスクリーンを少なくとも備え、
そのスクリーンに対して略互いにオーバーラップがなく且つ略ギャップのない複数の入射角度範囲内の方向から複数の異なる画像光を投射するようにし、
上記スクリーンがその投射された複数の異なる画像光をそれぞれ複数の異なる方向へ略互いにオーバーラップがなく且つ略ギャップのない複数の拡散角度範囲内にそれぞれ異なる複数の画像光を拡散させ、上記スクリーンに異なる方向へ異なる複数の画像を表示させることができるようにした
ことを特徴とする画像表示装置。
【請求項２】
請求項１の画像表示装置に用いられるスクリーンにおいて、
２枚のレンズアレイデバイスを積層した構成の組を少なくとも１組以上、又は、フィルム両面の表面形状がレンズアレイ形状になった１枚のフィルムを少なくとも１枚以上含み、
それぞれの２枚のレンズアレイデバイスを積層した構成の組、又は、それぞれのフィルム両面の表面形状がレンズアレイ形状になった１枚のフィルムの、光入射側のレンズアレイ主平面が、光出射側レンズアレイの略前焦点面に設置されている
ことを特徴とするスクリーン。
【請求項３】
請求項１の画像表示装置に用いられるスクリーンにおいて、
前記レンズアレイデバイスがレンチキュラーレンズ若しくはフライアイレンズであるか、又はフィルム両側の表面形状がレンズアレイ形状になったフィルムであって、
そのレンズアレイ形状がレンチキュラーレンズ若しくはフライアイレンズ形状である
ことを特徴とするスクリーン。
【発明の詳細な説明】
【技術分野】
【０００１】
本発明は、異なる入射角度領域からの複数のプロジェクタから異なる複数の画像の画像光を受け異なる観察角度領域に異なる上記複数の画像の画像光を投射する画像表示装置と、それに用いるスクリーンに関するものである。
【背景技術】
【０００２】
プロジェクションシステムは、一般に、スクリーンを略垂直方向に配置し、そのスクリーンの正面側又は裏面側に、そのスクリーンに対して光軸を例えば斜め下向きに或いは斜め上向きに画像光を照射するようにプロジェクタを配置し、そのプロジェクタからの画像光をそのスクリーンに照射してスクリーンの正面側又は裏面側から画像を視認するようにしたものである。
【０００３】
そして、プロジェクションシステムは、異なる入射角度領域からの複数のプロジェクタから異なる複数の画像の画像光を受け異なる観察角度領域に異なる上記複数の画像を出射するようにしてなる。
そして、プロジェクションシステム技術として、本願出願人が提示し（特願２００６−２６７５）、特開２００７−１８３４９８号公報（：特許文献１）により公開されたものがある。
本技術を要約すると、その課題は、スクリーンに要求される機能を、微粒子を含有しない１枚のみの光学デバイスにより実現し、高解像度で広視野角かつ高コントラストな像表示が可能な拡散フィルム及びこれを用いた投写システムを提供することにある。
【０００４】
ところで、近年、異なる入射角度領域からの複数のプロジェクタから異なる複数の画像の画像光を受け異なる観察角度領域に異なる上記複数の画像の画像光を投射するスクリーンと、それを用いた画像表示装置が開発され、更に注目されている。というのは、スクリーンに対しての異なる観察角度によって異なる画像を表示することができるからであり、一つのスクリーンの画面が見る角度の違いにより複数の画像を同時に表示することができ、新しいディスプレイの応用利用態様をもたらすことができるからである。
【０００５】
そのようなマルチビューディスプレイについては既に開発がすすめられ、例えば特開２００５−０７８０７２号公報（：特許文献２）や特開２００５−０７８０７８号公報（：特許文献２）等により基本的原理や開発の成果が公表されている。
図２０（ａ）はそのようなマルチビューディスプレイの一つの具体的従来例を示すものであり、図２０（ｂ）はその観察エリアに関する後述する問題点を説明するためのものである。図２０において、このマルチビューディスプレイは、三次元ＴＦＴ液晶パネル５００を用い、パララックスバリア（視差バリア）を利用して三方向に画像を送るものであり、カーナビゲーションに応用されている。
図２０において、Ａ、Ｂ、Ｃは互いに異なる画像の観察エリアを示し、この各エリアＡ、Ｂ、Ｃ内においてエリアと対応する各別の画像を視認することができる。Ｈはスクリーン５００を視る観察者を示す。
【先行技術文献】
【特許文献】
【０００６】
【特許文献１】特開２００７−１８３４９８号公報
【特許文献２】特開２００５−０７８０９２号公報
【特許文献３】特開２００５−０７８０７８号公報
【発明の概要】
【発明が解決しようとする課題】
【０００７】
ところが、図２０（ａ）に示すような従来のマルチビューディスプレイによれば、第１に、図２０（ｂ）に示すように各観察エリアＡ、Ｂ、Ｃは略菱形形状を有し、観察領域の奥行方向における狭さが顕著で、ごく特定の限られた奥行に位置する箇所においてのみ画像を綺麗に視認することができないという問題があった。
第２に、従来のマルチビューディスプレイによれば、観察領域の角度の精度は必ずしも高くなく、そのため、三方向や或いは二方向の観察領域を有するものまでには利用することができるが、四方向以上の観察領域を有するものには、解像度の低下や製作精度の限界性から適用が難しいという問題があった。
【０００８】
そこで、本願発明の発明者はこのような問題を解決すべく各種の模索をし、その結果、特許文献１（：特開２００７−１８３４９８号公報）に記載のスクリーンに着目した。
なぜならば、このスクリーンは、本発明に係るスクリーンの一例の部分を示す図２、図３に示すように、入射した光はすべてそのスクリーンに対する入射角度に対応した一点に一旦集光し、その一点からその入射位置に対応した角度範囲内で拡散して出射する特性を有するからである。しかも、その拡散角度範囲内では出射光度は均一（出射光度の入射角度無依存性）であり、拡散範囲外では出射光度はほぼゼロというトップハット的拡散特性を有するのである。
【０００９】
従って、このようなスクリーンを用いれば、そのスクリーンに対して異なる角度から異なるプロジェクタによって異なる画像の画像光を照射すれば、各画像の画像光はそれぞれ互いに異なる拡散角度範囲で拡散し、その拡散範囲内に位置すれば、奥行方向における制約を受けることなく、画像を視認することができることになるのであり、本願発明者はそれに気付き、着目したのであり、本発明はその着目を契機として為されたものである。この基本的原理の詳細は本願明細書を読み進めることで自ずと理解される筈である。
しかして、本発明の一つの目的は、一つのスクリーンに対して互いに異なる角度から異なる複数の画像光を投射し、その画像光を互いに異なる拡散角度範囲へ拡散照射してその各拡散角度範囲に存在する人に対してその拡散角度範囲に対応する角度からの画像を表示することができるようにすることにあり、他の目的は、より多くの画像を、例えば４以上の画像を表示できるようにすることにある。
【課題を解決するための手段】
【００１０】
請求項１の画像表示装置は、一つのスクリーンを少なくとも備え、そのスクリーンに対して略互いにオーバーラップがなく且つ略ギャップのない複数の入射角度範囲内の方向から複数の異なる画像光を投射するようにし、上記スクリーンがその投射された複数の異なる画像光をそれぞれ複数の異なる方向へ略互いにオーバーラップがなく且つ略ギャップのない複数の拡散角度範囲内にそれぞれ異なる複数の画像光を拡散させ、上記スクリーンに異なる方向へ異なる複数の画像を表示させることができるようにしたことを特徴とする。
【００１１】
請求項２のスクリーンは、請求項１の画像表示装置に用いられるスクリーンにおいて、２枚のレンズアレイデバイスを積層した構成の組を少なくとも１組以上、又は、フィルム両面の表面形状がレンズアレイ形状になった１枚のフィルムを少なくとも１枚以上含み、それぞれの２枚のレンズアレイデバイスを積層した構成の組、又は、それぞれのフィルム両面の表面形状がレンズアレイ形状になった１枚のフィルムの、光入射側のレンズアレイ主平面が、光出射側レンズアレイの略前焦点面に設置されていることを特徴とする。
【００１２】
請求項３のスクリーンは、請求項１の画像表示装置に用いられるスクリーンにおいて、前記レンズアレイデバイスがレンチキュラーレンズ若しくはフライアイレンズであるか、又はフィルム両側の表面形状がレンズアレイ形状になったフィルムであって、そのレンズアレイ形状がレンチキュラーレンズ若しくはフライアイレンズ形状であることを特徴とする。
【発明の効果】
【００１３】
本発明によれば、一つのスクリーンに対してオーバーラップ及びギャップのない複数の入射角度範囲内の方向から複数の異なる画像光を投射するようにし、上記スクリーンがその投射された複数の異なる画像光をそれぞれ複数の異なる方向へオーバーラップ及びギャップのない複数の拡散角度範囲内に拡散させるので、各拡散角度範囲内にてその拡散角度範囲に対応する入射角度範囲からの画像を視認できるようにすることができる。
【００１４】
そして、スクリーンとして、例えば、２枚のレンズアレイデバイスを積層した構成の組を少なくとも１組以上、又は、フィルム両面の表面形状がレンズアレイ形状になった１枚のフィルムを少なくとも１枚以上含むスクリーンであって、それぞれの２枚のレンズアレイデバイスを積層した構成の組、又は、それぞれのフィルム両面の表面形状がレンズアレイ形状になった１枚のフィルムの、光入射側のレンズアレイ主平面が、光出射側レンズアレイの略前焦点面に設置されたものを用いることにより、光学特性をレンズアレイデバイスやフィルム両面の表面形状により高精度に制御することができ、延いては一つの画像表示装置で表示できる画像数を４個或いはそれ以上に増やすことができる。
【００１５】
また、スクリーンをとして、レンチキュラーレンズ若しくはフライアイレンズかフィルム両側の表面形状がレンズアレイ形状になったフィルムを用い、そのレンズアレイ形状がレンチキュラーレンズ若しくはフライアイレンズ形状にすることによっても、光学特性をレンズアレイデバイスやフィルム両面の表面形状により高精度に制御することができ、延いては一つの画像表示装置で表示できる画像数を４個或いはそれ以上に増やすことができる。
【図面の簡単な説明】
【００１６】
【図１】本発明の画像表示装置の第１の実施例の基本的原理を説明するための構成図である。
【図２】本発明の画像表示装置に用いるスクリーンの第１の例を示すもので、（ａ）は光学系を示し、（ｂ）は光学特性を示す。
【図３】（ａ）〜（ｃ）は図２を補足する説明図、（ｄ）は拡散フィルムの概念図である。
【図４】本発明の画像表示装置に用いるスクリーンの第２の例を示すもので、（ａ）は光学系を示し、（ｂ）は光学特性を示す。
【図５】（ａ）〜（ｃ）は図４を補足する説明図、（ｄ）は拡散フィルムの概念図である。
【図６】本発明の画像表示装置に用いるスクリーンの第３の例を示すもので、（ａ）は光学系を示し、（ｂ）は光学特性を示す。
【図７】（ａ）〜（ｃ）は図６を補足する説明図、（ｄ）は拡散フィルムの概念図である。
【図８】本発明の画像表示装置に用いるスクリーンに用いる第４の例を示すもので、（ａ）は光学系を示し、（ｂ）は光学特性を示す。
【図９】本発明の画像表示装置に用いるスクリーンの第５の例を示すもので、（ａ）、（ｂ）は基本光学系、（ｃ）はその機能を示している。
【図１０】本発明の画像表示装置に用いるスクリーンの第６の例の光学系を示す図である。
【図１１】本発明の画像表示装置のスクリーンの一つの例とその画像表示装置としての光学特性を示すもので、（ａ）、（ｃ）はスクリーンを示し、（ｂ）は入射角度（横軸）に対する入射光の光度（縦軸）を示し、（ｄ）は出射角度（横軸）に対する出射光（縦軸）の光度を示す。
【図１２】本発明の画像表示装置の一例におけるフリーアライメントエリアと観察エリアを説明をするためののもので（ａ）は画像表示装置の全体を示す光学系を示し、（ｂ）はそれに用いるスクリーンを示し、（ｃ）は入射角度（横軸）に対する入射光の光度（縦軸）を示し、（ｄ）は出射角度（横軸）に対する出射光の光度（縦軸）を示す。
【図１３】（Ａ）〜（Ｃ）は図１２に示す画像表示装置における各画像を照射する各プロジェクタの配置が許容される領域（アライメントフリーエリア）を説明するエリア説明図である。
【図１４】（ａ）は図１２に示す画像表示装置における各画像を観察する観察者の観察可能な観察エリアを説明するエリア説明図であり、（ｂ）は出射角度（横軸）に対する出射光（縦軸）の光度を示す。
【図１５】（ａ）は本発明の画像表示に用いるスクリーンの一例を示し、（ｂ）はそのスクリーンを用いた画像表示装置の出射角度（横軸）に対する出射光の光度（縦軸）を示す図である。
【図１６】本発明の画像表示装置の垂直方向と水平方向の出射角度に対する出射光の光度（縦軸）を示す図である。
【図１７】本発明の画像表示装置の出射光の水平（横軸）及び垂直（縦軸）における光度分布図である。
【図１８】本発明の画像表示装置の出射角度（横軸）に対する出射光の光度（縦軸）を別の例を示す図である。
【図１９】（ａ）〜（ｅ）は図１８の各観察エリアＡ〜Ｅの出射角度（横軸）に対する出射光の光度（縦軸）を示す図である。
【図２０】（ａ）は従来例の構成図、（ｂ）はその従来例の場合の観察可能エリアを説明するエリア説明図である。
【発明を実施するための形態】
【００１７】
本発明は、基本的に、一つのスクリーンに対してオーバーラップ及びギャップのない複数の入射角度範囲内の方向から複数の異なる画像光を投射するようにし、上記スクリーンがその投射された複数の異なる画像光をそれぞれ複数の異なる方向へオーバーラップ及びギャップのない複数の拡散角度範囲内に拡散させるようにしたものであるが、スクリーンとしては、２枚のレンズアレイデバイスを積層した構成の組を少なくとも１組以上、又は、フィルム両面の表面形状がレンズアレイ形状になった１枚のフィルムを少なくとも１枚以上含むスクリーンであって、それぞれの２枚のレンズアレイデバイスを積層した構成の組、又は、それぞれのフィルム両面の表面形状がレンズアレイ形状になった１枚のフィルムの、光入射側のレンズアレイ主平面が、光出射側レンズアレイの略前焦点面に設置されている構成にする態様がある。
【００１８】
また、本発明の別の態様として、スクリーンを、レンチキュラーレンズ若しくはフライアイレンズかフィルム両側の表面形状がレンズアレイ形状になった
フィルムを用い、そのレンズアレイ形状がレンチキュラーレンズ若しくはフライアイレンズ形状にしたものを用いる構成にする態様もある。
【実施例】
【００１９】
（基本的構成図）
図１は本発明の基本的原理を説明するための構成図である。
同図において、Ｓｃはスクリーンで、本例では、透過型であり、複数の入射角度範囲内の方向から複数の異なる画像光を投射されると、それらの異なる複数の画像光をそれぞれ複数の異なる方向へオーバーラップ及びギャップのない複数の拡散角度範囲内に拡散させる光学特性を有する。そのスクリーンＳｃには後述する各種の実施態様があり得る。
【００２０】
ＰｒＡ、ＰｒＢ、ＰｒＣ、ＰｒＤ、ＰｒＥは、スクリーンＳｃの背後に設けられたプロジェクタで、異なる複数（本例では５であるが、それ以外の数であってもよい。）の入射角度範囲（互いにオーバーラップしない入射角度範囲）内に位置され、プロジェクタＳｃの背面に互いに異なる画像を投射する向きに向きが設定されている。
本画像表示装置は、この複数（本例では５）のプロジェクタＰｒＡ、ＰｒＢ、ＰｒＣ、ＰｒＤ、ＰｒＥと、一つのスクリーンＳｃからなる。
【００２１】
ＡｒＡ、ＡｒＢ、ＡｒＣ、ＡｒＤ、ＡｒＥは、スクリーンＳｃの正面側に生じる各拡散角度範囲であり、スクリーンＳｃ正面を視たとき、拡散角度範囲ＡｒＡではプロジェクタＰｒＡから投射された画像ＩｍＡが、拡散角度範囲ＡｒＢではプロジェクタＰｒＢから投射された画像ＩｍＢが、拡散角度範囲ＡｒＣではプロジェクタＰｒＣから投射された画像ＩｍＣが、拡散角度範囲ＡｒＤではプロジェクタＰｒＤから投射された画像ＩｍＤが、拡散角度範囲ＡｒＥではプロジェクタＰｒＥから投射された画像ＩｍＥが視認できる。
【００２２】
本画像表示装置によれば、スクリーンＳｃの正面側の各拡散角度範囲ＡｒＡ、ＡｒＢ、ＡｒＣ、ＡｒＤ、ＡｒＥにおいては、スクリーンＳｃからの距離的制約を受けることなく画像ＩｍＡ、ＩｍＢ、ＩｍＣ、ＩｍＤ、ＩｍＥを視認できる。
次に、スクリーンＳｃとして用いることのできる各例を具体的に説明する。
【００２３】
（スクリーンの第１の例）
図２はスクリーンの第１の例の一部を示すもので、（ａ）は断面図であり、（ｂ）は光学特性図である。
図２（ａ）に示すように、本スクリーンは、２枚のレンズ１、２からなり、そのレンズ１、２の焦点距離をｆ１、ｆ２とする。本例では、その焦点距離ｆ１とｆ２ とは等しい、即ち、ｆ１＝ｆ２ である。更に、両レンズ１、２の光軸（レンズ光軸）が一致し、レンズ間距離が焦点距離＝ｆ１  （＝ｆ２ ）と等しい。
光線１０２、１０５は、レンズ光軸と平行に入射する、垂直入射光であり、レンズ１によって光軸上の焦点位置に集光する。本例ではレンズ２の光軸はレンズ１の光軸に一致しており、レンズ１とレンズ２との主平面肝距離はｆ１＝ｆ２ であるので、光線１０２、１０５はレンズ２の中心（節）に集光することとなり、光線の方向は変化することなくレンズ２を通過する。このとき光線１０２、１０５は光軸に対して下記の数式数１で表される各±θｌの範囲で拡散して出射する。
【００２４】
【数１】
2012247646.tif 000003
【００２５】
次に、レンズ光軸上方θ1の角度で入射してくる光線１０１、１０４を考える。この光はレンズ１によってレンズ１の焦点面に集光するが、この焦点面に設置されたレンズ２の作用によって、光軸と±θ1の角をなして出射することになる。この拡散特性は、光線１０２、１０５と同じである。理由は後述する。次に、レンズ光軸下方θ１の角度で入射してくる光線１０６、１０３を考える。この光も光線１０２、１０５と同様に、レンズ１によってレンズ１の焦点面に集光し、レンズ２によって、光軸と±θ1の角をなして出射することになる。次に、この光学的メカニズムを説明する。
【００２６】
今、図２（ａ）のレンズ１の上端点に着目する。この点から光線１０１、１０２、１０３がレンズ２に向かって出射している。レンズ主平面間距離がｆ２（＝ｆ１）であるため、レンズ２からこれら光線１０１、１０２、１０３を見ると、レンズ２の前焦点面上の１点から出た光がレンズ２へ入射することになるため、レンズ２の出射側では光線１０１、１０２、１０３は互いに平行となる。同様に、レンズ１の下端点に着目すると、光線１０４、１０５、１０６は、レンズ２の前焦点面上の１点からレンズ２へ入射しているため、レンズ２の出射側では互いに平行となる。
今、光線１０５、１０２が光軸に対し±θ1で出射し、かつ光線１０１、１０２、１０３は出射側で互いに平行、及び光線１０４、１０５、１０６は出射側で互いに平行であるならば、光線１０１、１０４は光軸に対し±θ1で出射し、光線１０３、１０６も光軸に対し±θ1で出射することになる。
上述の議論は、レンズ１への入射光の角度が０°と±θ1のみの場合であるが、レンズ１への入射角θｉｎが、−θ1≦θｉｎ≦＋θ1の間で連続的に変化しても、レンズ２の主平面上の集光点の位置が、−ｄ／２から＋ｄ／２へ変化するだけであり、出射光の角度は、いずれの場合も、光軸に対し±θ1と一定の角度となる。
【００２７】
次に、入射光の入射位置について議論する。今、入射角が光軸上方θ1の光線１０１、１０４に着目し、光線１０１、１０４に平行で、入射位置が光線１０１、１０４の間にある光線を考える。これらの光線は、入射位置に応じて、出射角は−θ1〜＋θ1の間で、光の方向が変化し、拡散することは、図より明らかである。よって、光線１０１、１０４をビームの上端、下端とする、入射角が光軸上方の平行ビームは、出射側のレンズ２の下端より、−θ1〜＋θ1で拡散して出射することになる。同様に、光線１０２、１０５を上端、下端とする垂直入射の平行ビームを考えると、出射側ではレンズ２の中心位置から、−θ1〜＋θ1で拡散する光となり、光線１０３、１０６を上端、下端とする、入射角が光軸下方θ1の平行ビームは、出射側のレンズ２の上端より、−θ1〜＋θ1で拡散して出射することになる。
【００２８】
入射角が−θ1〜＋θ1と連続的に変化する、レンズの上端、下端をビームの上端、下端とする平行ビーム全てに上述の議論が成立するのは明らかである。以上の特性をグラフで表したものが図２（ｂ）である。図２（ｂ）の上部分に示すように、入射角−θ1〜＋θ1で入射する平行ビームは、グラフ上でδ関数となり、入射角に応じて、入射角度領域−θ1≦θｉｎ≦＋θ1の間をδ関数は移動することとなる。出射角に対する特性が下部のグラフであり、上部分のグラフのδ関数が移動しても、出射光は一定のトップハット的拡散特性を示し、出射拡散角度領域の左端、右端の角度−θ1、＋θ1は変化しないことを表示している。
【００２９】
以上の議論より、図２（ａ）の光学系（図３（ａ）〜（ｃ）にビーム入射角度ごとに示した）のサイズを必要とする解像度よりも細かくしたマイクロ光学系アレイを、フィルムの表裏両面側の表面形状とすると、図３（ｄ）に示すような拡散フィルム３が得られる。この拡散フィルム３は、表裏面間がフィルム媒体で埋まっており、表裏面形状は、表と裏にレンズ１、２に対応する平凸レンズが凸面側を空気界面側として光軸を一致させて複数配置された形状にしてあり、フィルムの厚さは、媒体中のレンズの焦点距離で決まる。レンズの大きさは必要とする解像度以下である。これによれば、図２（ｂ）と同等なトップハット的拡散特性が得られる。トップハット的拡散特性が２次元的の場合、フィルム両面形状はマイクロレンズアレイ形状( フライアレイレンズ形状）であり、１次元的の場合がレンティキュラレンズアレイ形状である。
【００３０】
なお、トップハット的拡散特性は、理想的には「一定」であるが、近似誤差や製造誤差等により一定からずれることがある。もっとも、そのずれが許容範囲内であれば格別の問題はないから、かかる場合を含める意味で、拡散フィルムのトップハット的拡散特性は「ほぼ一定」であるとした。前記一定からのずれの許容範囲としては、出射拡散角度領域内の光強度分布の半値領域の大きさを、出射拡散角度領域全体の大きさの５０％以上（当然１００％以下）とし、かつ、前記半値領域内において、光強度のばらつき範囲を、光強度の平均値±５０％以内とするのがよい。
また、レンズアレイの光学的特性に関しては、入射角度が異なる３方向の光に着目して説明したが、その３方向以外の方向に入射する光についても同じように作用する。従って、例えば５方向の角度から入射するプロジェクタの画像光に対してもレンズ内の各別の場所に集光し、集光点から一定角度範囲内で拡散出射する。従って、例えば５方向或いはそれ以上の方向から入射する画像を５個或いはそれ以上の拡散角度範囲内に表示することができる。このことは、スクリーンＳｃの第２以降の例についても同様である。
【００３１】
このようなレンズアレイ、例えばマイクロレンズアレイ形状( フライアレイレンズ形状）或いはレンティキュラレンズアレイ形状のレンズアレイは、図１に示す画像表示装置のスクリーンＳｃとして好適である。
というのは、このレンズアレイは、図２、図３に示すように、入射した光はすべてそのスクリーンに対する入射角度に対応した一点に一旦集光し、その一点からその入射位置に対応した角度範囲内で拡散して出射する特性を有するからである。しかも、その拡散角度範囲内では出射光度は均一（出射光度の入射角度無依存性）であり、拡散範囲外では出射光度はほぼゼロというトップハット的拡散特性を有するからである。
【００３２】
従って、このようなレンズアレイを用いれば、そのレンズアレイの裏面に対して異なる角度の各入射角度範囲内にプロジェクタＰｒＡ、ＰｒＢ、・・・ＰｒＥをそのレンズアレイに向けて配置し、それらプロジェクタＰｒＡ、ＰｒＢ、・・・ＰｒＥから異なる画像の画像光を照射することにより、各画像の画像光がそれぞれ互いに異なる拡散角度範囲ＡｒＡ、ＡｒＢ、・・・ＡｒＥに送られ、その範囲ＡｒＡ、ＡｒＢ、・・・ＡｒＥ内にてそのレンズアレイを向けばその範囲ＡｒＡ、ＡｒＢ、・・・ＡｒＥと対応するプロジェクタＰｒＡ、ＰｒＢ、・・・ＰｒＥからの画像ＩｍＡ、ＩｍＢ、・・・ＩｍＥを視認できるようにすることができる。
特に、その角度範囲にある場所であれば、スクリーンＳｃからの距離に関係なく画像を視認でき（但し、遠くて画像光の光度の低下による視認できない場合を除く）、図２０に示す従来例におけるような距離によって視認範囲が制約されるおそれがない。
【００３３】
そして、その光学的特性、即ち各入射角度範囲、各拡散角度範囲（出射角度範囲）は、レンズアレイの形状（寸法及び曲率半径）により高精度に制御することができる。
依って、表示できる画像の数を３個より多い例えば４個、５個或いはそれ以上に増やすことができる。
【００３４】
（スクリーンの第２の例）
次に、入射角度領域と出射角度領域の大きさを互いに独立に制御するようにするために、入射側のレンズと出射側のレンズのＮＡを独立に変化させるようにすることについて説明する。
この機能を実現するレンズ２枚構成の光学系を図４（ａ）に、その機能を図４（ｂ）に示す。基本的に、図１に示した光学系のメカニズムと同じ原理で動作するが、入射側のレンズのＮＡ（Ｆナンバー）と出射側のレンズのＮＡ（Ｆナンバー）を変化させることによって、入射角度領域の大きさと出射拡散角度領域の大きさを制御している点で、図２の光学系と異なっている。
【００３５】
図４は、入射角度領域より出射拡散角度領域を大きくする場合を示している。この場合、入射側のレンズ１のＮＡを小さくし、出射側のレンズ２のＮＡを大きく設計すればよい。レンズ径ｄが同じなので、ｆ1＞ｆ2である。ここでｆ1、ｆ2はそれぞれレンズ１、２の焦点距離である。レンズ１、２の光軸は一致させてあり、レンズ１、２の主平面間距離はｆ2である。入射角θｉｎの範囲は、(１)式で示されるθ1より、−θ1≦θｉｎ≦＋θ1、であるが、出射拡散角θｏｕｔの範囲は、次式で示されるθ2により、−θ2≦θｏｕｔ≦＋θ2、となる。
【００３６】
【数２】
2012247646.tif 000004
【００３７】
光学的メカニズムは、図２の光学系とほぼ同等である。今、光線１０９、１１０に着目しよう。光線１０９、１１０は入射角±θ1でレンズ１の端に入射し、レンズ１の前焦点面と光軸との交点を通過する光であるから、レンズ１を通過後は光軸と平行になり、レンズ２を通過後は、レンズ２の光軸上の後焦点に集光する。よって、光線１０９、１１０の出射角は±θ2となる。次に、レンズ１の上端点に着目すると、光線１０７、１０８、１０９はこの１点からレンズ２へ入射している。レンズ１はレンズ２の前焦点面に設置してあるから、光線１０７、１０８、１０９はレンズ２を通過後は互いに平行となる。光線１１０、１１１、１１２についても同じ理由で、レンズ２を通過後は互いに平行となる。よって、光線１１２、１０９で決まる拡散角は±θ2であり、光線１１１、１０８で決まる拡散角も±θ2となる。同様に、光線１１０、１０７で決まる拡散角も±θ2となる。
【００３８】
この光学系の特性をグラフで示すと、図４（ｂ）のようになる。−θ1〜＋θ1の角度範囲で入射してきた光は、入射角によらず一定のトップハット的拡散特性を示し、トップハット的拡散特性の左右端である±θ2は変化しない。θ1とθ2とには、（１)、（２）式より、次式の関係が成立する。
【００３９】
【数３】
2012247646.tif 000005
【００４０】
(数３ａ)式は、レンズ１のｆ1とレンズ２のｆ2を設定することにより、入射角度領域の大きさと出射拡散角度領域の大きさを互いに独立に制御できることを意味している。
そこで、図４（ａ）の光学系（図５（ａ）〜（ｃ）にビーム入射角度ごとに示した）のサイズを必要とする解像度よりも細かくしたマイクロ光学系アレイを、フィルムの表裏両面側の表面形状とすると、図５（ｄ）に示すような拡散フィルム３が得られる。これは、入射角度領域と出射角度領域との大きさの互いに独立した制御を、入射側のレンズと出射側のレンズのＮＡを独立して制御することにより行うようにする原理を説明するものであり、表裏面間がフィルム媒体で埋まっており、表裏面形状は、表、裏にそれぞれレンズ１、２に対応する平凸レンズが凸面側を空気界面側として光軸を一致させて複数配置された形状にしてあり、フィルムの厚さは、媒体中のレンズ２の焦点距離ｆ2で決まる。レンズの大きさは必要とする解像度以下である。これによれば、図２（ｂ）と同等なトップハット的拡散特性が得られる。トップハット的拡散特性が２次元的の場合、フィルム両面形状はマイクロレンズアレイ形状であり、１次元的の場合がレンティキュラレンズアレイ形状である。
本例のレンズアレイも、図２、図３に示したレンズアレイと同様に、図１に示した画像表示装置のスクリーンＳｃとして活用することができることができる。
【００４１】
（スクリーンの第３の例）
次に、入射角度領域の中心方向の角度と出射角度領域の中心方向の角度とを、入射側のレンズと出射側のレンズとの双方で、光軸のずれ量及び部分形状の選択範囲を調整することにより、互いに独立して制御可能にする原理について説明する。
最初に、入射側と出射側のレンズの部分形状の選択範囲の調整により、入射角度領域の中心方向の角度と出射拡散角度領域の中心方向の角度とが互いに独立に制御可能という要件の原理について説明する。
この制御機能を実現する光学系を図６（ａ）に、その機能をグラフで図６（ｂ）に示す。この光学系は２枚レンズ構成であり、入力側（入射側）、出力側（出射側）のレンズ１、２は光軸が一致しているが、出力側のレンズ２は、光軸からの距離がｄ1〜ｄ2である領域にレンズ主平面の実効部分が存在する。つまり、レンズ２は、レンズ全体の一部分だけを選択して使用している。もちろんレンズ１の一部分だけを選択したり、レンズ１、２の両方をそれぞれ一部分だけ選択しても機能させることは可能である。
【００４２】
図６に示すのは、レンズ２の一部分を選択した例である。２枚のレンズの主平面間距離はｆ2（ｆ2＝ｆ1とした）である。この光学系のメカニズムは基本的に図２（ａ）に示した光学系と同じである。レンズ２の光軸付近を使用していないだけなので、図２（ａ）の光学系に入射するビームの入射角を、図６（ａ）のレンズ２の存在する範囲まで変化させれば、容易に機能は理解できる。図２の光学系の機能より、入射角を変化させても、トップハット的拡散特性は変化しないから、図６のトップハット的拡散特性も変化しない。よって、出射側のトップハット的拡散特性は、図２（ｂ）のそれと同じ−θ1〜＋θ1の範囲内で固定した特性となる。図３（ａ）の光学系を、図２（ａ）から図６（ａ）への変形と同様に変形した場合は、図３（ｂ）のそれと同じ−θ2〜＋θ2の範囲内で固定した特性となる。
【００４３】
入射角度領域は、レンズ１を通過した平行光が、レンズ２を通過できる入射角で決まるので、光線１１３、１１６を上端、下端とする平行ビームの中心になる光線１１９と、光線１１５、１１８を上端、下端とする平行ビームの中心になる光線120の入射角で決まる。光線１１９、１２０はレンズ１の中心（節）を通過するため、レンズ１では方向は変化しない。よって、図より光線１１９、１２０の入射角は、次式数４で示すθ3、θ4となる。
【００４４】
【数４】
2012247646.tif 000006
【００４５】
よって、この光学系にθ3〜θ4の範囲内の平行ビームを入射しても、図６（ｂ）の上部分に示すように、常に一定のトップハット的拡散特性が発現する。θ3とθ4は、ｄ1とｄ2によって制御できるため、θ1を固定したまま、つまり、出射拡散角度領域を固定したまま、独立に入射角度領域を制御できることを意味している。
【００４６】
そこで、図６（ａ）の光学系（図７（ａ）〜（ｃ）にビーム入射角度ごとに示した）のサイズを必要とする解像度よりも細かくしたマイクロ光学系アレイを、フィルムの表裏両面側の表面形状とすると、図７（ｄ）に示すような拡散フィルム３が得られる。これは、表裏面間がフィルム媒体で埋まっており、表裏面形状は、表、裏にそれぞれレンズ１、２に対応する平凸レンズ（の一部分）が凸面側を空気界面側として光軸を一致させて複数配置された形状にしてあり、フィルムの厚さは、媒体中のレンズ２の焦点距離ｆ2である。レンズの大きさは必要とする解像度以下である。これによれば、図６（ｂ）と同等なトップハット的拡散特性が得られる。トップハット的拡散特性が２次元的の場合、フィルム両面形状はマイクロレンズアレイ形状であり、１次元的の場合がレンティキュラレンズアレイ形状である。
【００４７】
（スクリーンの第４の例）
最初に、入射側と出射側のレンズの光軸のずれ量の調整により、入射角度領域の中心方向の角度と出射拡散角度領域の中心方向の角度とが互いに独立に制御可能という要件の原理について図８を参照して説明する。
この光学系は２枚レンズ構成であり、入力側（入射側）、出力側（出射側）のレンズ１、２の光軸は互いに距離ａだけずれている。レンズ１、２の主平面間距離は、レンズ２の焦点距離ｆ2（ｆ2＝ｆ1とした）である。この光学系のメカニズムも、基本的に図２（ａ）の光学系のそれと同じである。
【００４８】
図８を参照して、最初に、レンズ１、２の各中心（節）を通過する光線と平行に入射する光線１２３、１２６を考える。この光線はレンズ２の中心（節）へ集光するから、レンズ２では光の方向は変化しない。よって図より、光線１２３、１２６の各出射角θ５、θ６は、次式数５で与えられる。
【００４９】
【数５】
2012247646.tif 000007
【００５０】
次に、レンズ１への入射角が変化した場合を考える。レンズ１の上端点に着目する。この点から光線１２１、１２２、１２３がレンズ２へ入射しているが、レンズ１はレンズ２の前焦点面に設置されているので、光線１２１、１２２、１２３はレンズ２を通過後互いに平行となり、それらの出射角は全てθ５となる。同様に、レンズ１の下端点に着目すると、光線１２４、１２５、１２６は、レンズ２通過後は互いに平行になるから、それらの出射角は全てθ6となる。
【００５１】
よって、図８（ｂ）に示すように、入射角−θ1〜＋θ1の範囲（入射角度領域）内に入力した平行ビームは、入射角によらずに、θ５〜θ６の範囲（出射拡散角度領域）内で一定のトップハット的拡散特性を発現する。(数５)、(数６)式は、光軸のずれ量ａを調整することにより、θ1とは独立に、θ５とθ６を制御できることを示している。
図８（ａ）の光学系を１枚のフィルムにするには、上下方向に複数並べたレンズ１、２の間をフィルム媒体（レンズと同一材質）で詰め、フィルムの両面の表面形状を、一方の面がレンズ１、他方の面がレンズ２の、平凸レンズ部の凸側の配列からなる、レンズアレイ形状とすればよい（図３（ｄ）、図５（ｄ）、図７（ｄ）と類似した形態となるが、図示は省略する）。フィルムの厚さは、媒体中でのレンズ２の焦点距離ｆ2である。レンズ１とレンズ２の光軸はａだけずれている。レンズの大きさは必要とする解像度以下である。これによれば、図８（ｂ）と同等なトップハット的拡散特性が得られる。トップハット的拡散特性が２次元的の場合、フィルム両面形状はマイクロレンズアレイ形状であり、１次元的の場合がレンティキュラレンズアレイ形状である。
【００５２】
なお、入射側と出射側の双方の表面形状をマイクロレンズアレイ形状又はレンチキュラレンズ形状とする、入射角度領域の大きさと出射角度領域の大きさを、入射側のレンズのＮＡと出射側のレンズのＮＡを調整することにより、互いに独立して制御可能にする、或いは、入射角度領域の中心方向の角度と出射拡散角度領域の中心方向の角度とが互いに独立に制御可能にする技術のいずれかにおいて、入射側のレンズを全反射型のもの（すなわち所定の入射角度領域からレンズ内に入射した光がレンズ内面で全反射する表面形状のもの）とすることや、拡散フィルムの入射側のマイクロレンズアレイ形状又はレンティキュラレンズ形状をなすレンズ表面の一部を反射媒体で被覆することで、入射側表面形状を反射型の光学素子アレイ形状に転化させると、より大きな入射角に対しても、上述のトップハット的拡散特性を発現しうるので、プロジェクションシステムのさらなる薄型化に寄与できると期待される。
【００５３】
ここで、反射媒体で被覆するには、アルミコートや銀コートなどが好ましく用いうる。
次に、拡散を実現させる表面形状が、フィルムの片面にのみ形成するようにする、更には、その表面形状がレンズとミラーを組み合わせた光学素子アレイ形状であり、入射側と出射側の双方の表面形状をマイクロレンズアレイ形状又はレンチキュラレンズ形状とする、入射角度領域の大きさと出射角度領域の大きさを、入射側のレンズのＮＡと出射側のレンズのＮＡを調整することにより、互いに独立して制御可能にする、或いは、入射角度領域の中心方向の角度と出射拡散角度領域の中心方向の角度とが互いに独立に制御可能にする技術のいずれかを駆使するものである。
本レンズアレイも図１に示した画像表示装置のスクリーンＳｃに好適であることは言うまでもない。
【００５４】
今まで説明してきた拡散フィルムは、フィルム両面にレンズ形状を有し、この両面の一方の面形状と他方の面形状との相互位置合わせに精度が要求されるものである。
それに対して、拡散を実現させる表面形状が、フィルム片面側のみに形成するようにした技術では、前記位置合わせは全く必要なく、製造容易性に優れる。
【００５５】
また、フィルム片面側のみに形成された、拡散を実現させる表面形状が、レンズとミラーを組合せた光学素子アレイ形状であるものは、入射角度領域と出射拡散角度領域とで互いに独立に、これらの角度領域の大きさや方向を制御できるから、製造容易性に優れる利点に加え、より大きな入射角の斜め入射光を所望の方向かつ大きさの範囲に拡散出射させることができる利点を有し、従って、超薄型リアプロジェクションディスプレイのスクリーン等に、極めて有利に応用することができる。
【００５６】
（スクリーンの第５の例）
図９は、入射角度領域とこれに対応する出射角度領域との組を複数有し、各組の入射角度領域どうし及び出射角度領域どうしが互いに重複しないようにした拡散フィルムで発現するｎ次固定トップハット的拡散特性の原理説明図であり、（ａ）、（ｂ）は基本光学系、（ｃ）はその機能を示している。図９（ａ）は、図２と同様の、０次固定トップハット的拡散を表し、図９（ｂ）は、図１では登場しなかった、ｎ次固定トップハット的拡散の、ｎ＝１の場合を表す。０次固定トップハット的拡散が、入射側のレンズ１と出射側のレンズ２とで互いに光軸を同じくした２枚のレンズ１、２を通過する光によって発現するのに対し、１次固定トップハット的拡散は、入射側、出射側のレンズ１、２にそれぞれ隣接し、かつレンズ１、２とそれぞれ主平面を共有し、かつ互いに光軸を共有する、レンズ１’、２’が、レンズ１、２に加わった光学系において、２枚のレンズ１、２’を通過する光によって発現するものである。
【００５７】
これら２枚のレンズ１、２’によって発現する１次固定トップハット的拡散のメカニズムも、図２に示した光学系のそれとほぼ同じである。レンズ１、２’相互の主平面間距離は、レンズ２’の焦点距離ｆ2である。図９では、このｆ2は、レンズ１の焦点距離ｆ1と一致させた。今、レンズ１、２’の各中心（節）である２点を結ぶ直線に平行に入射する光線１５−３、１５−６を考える。これらの光線は、レンズ１を通過後レンズ２’の中心（節）へ集光するので、レンズ２’では光の方向は変化せず、出射する。光線１５−３の出射角は、図より、
【００５８】
【数６】
2012247646.tif 000008
【００５９】
であり、光線１５−６の出射角は、図より、下記の数式数７のとおりになる。
【００６０】
【数７】
2012247646.tif 000009
【００６１】
次に、レンズ１の上端からレンズ２’へ向かう光線１５−２、１５−３、１５−４に着目する。これらの光線は、レンズ２’の前焦点面内の同じ点から出ているので、レンズ２’を通過後互いに平行となる。同様に、レンズ１の下端からレンズ２’へ向かう光線１５−５、１５−６、１５−７も、レンズ２’の前焦点面内の同じ点から出ているので、レンズ２’を通過後互いに平行となる。よって、光線１５−２、１５−４の出射角は光線１５−３の出射角（＝−θ1-1）に等しく、光線１５−５、１５−７の出射角は光線１５−６の出射角（＝−θ1-0）に等しい。レンズ１の中心（節）とレンズ２’の下端を結ぶ直線に平行に入射する光線１５−２、１５−５の入射角は、図より、−θ1-1であり、レンズ１の中心（節）とレンズ２’の上端を結ぶ直線に平行に入射する光線１５−４、１５−７の入射角は、図より、−θ1-0である。従って、入射側のレンズ１と出射側のレンズ２’とをペアにした光学系に、−θ1-1〜−θ1-0の入射角度領域内から入射する平行光は、入射角によらずに、−θ1-1〜−θ1-0の出射拡散角度領域内で固定したトップハット的拡散特性を発現する。以上が、図９（ｂ）の１次固定トップハット的拡散特性の発現メカニズムである。
【００６２】
上記の固定トップハット的拡散の次数は１次に限らず、一般に、±ｎ次固定トップハット的拡散が存在する。ｎ次固定トップハット的拡散角度θｉｎ−ｎの範囲、すなわち入射角度領域は下記の数式数８で表される。
【００６３】
【数８】
2012247646.tif 000010
【００６４】
又、ｎ次固定トップハット的拡散特性の出射角度θｏｕｔ-nの範囲すなわち出射拡散角度領域は、下記の数式数９で表される。
【００６５】
【数９】
2012247646.tif 000011
【００６６】
(１９)、(２０)式より、ｎ−1次固定トップハット的拡散における入射角度領域、出射拡散角度領域の上限値は、ｎ次固定トップハット的拡散における対応（同名の）領域の下限値と完全に一致しており、入射角度領域、出射拡散角度領域のそれぞれが、ｎ−１次とｎ次とで互いに重複することなく、かつ、とぎれることもないことがわかる。
【００６７】
（スクリーンの第６の例）
図１０は大きな角度の斜め入射が可能なフロントプロジェクションシステム用スクリーン（２０）を示すものである。スクリーン（２０）の機能は、図２のそれと等価であり、大きな角度の斜め入射光に対し、表面の、図２のレンズ１と同じ機能を有する全反射タイプの反射鏡１８で集光し、裏面のミラー３０で反射させ、表面の、図２のレンズ２と同じ機能を有するレンズ１９の主平面に焦点を結ばせて、固定トップハット的拡散特性を発現させるものである。前記全反射タイプの反射鏡１８の光軸と、前記レンズ１９の光軸を一致させておくと、入射角によらず、常にスクリーン法線方向を主光線方向とする固定トップハット的拡散特性が発現する。このスクリーンに、前述の各種技術を適宜適用すれば、ＮＡや中心方向の角度に対する、入力側と出力側とでの独立制御を実現することができる。フィルム裏面に付加したブラックマスク２３は、外光抑制に大きな効果を奏する。
【００６８】
図１１は、本発明の画像表示装置のスクリーンの一つの例とその画像表示装置としての光学特性を示すもので、（ａ）、（ｃ）はスクリーンを示し、この（ａ）、（ｃ）における太い実線で示す光線は同じ光線である。（ｂ）は入射角度（横軸）に対する入射光の光度（縦軸）を示し、（ｄ）は出射角度（横軸）に対する出射光（縦軸）の光度を示す。（ｂ）、（ｄ）の特性は、画像表示装置としての光学特性を示す。
（ｂ）、（ｄ）に示すように、ヘッドハット特性を有するスクリーンの入射側のＡの領域にあるプロジェクタ（図示しない）からの入射光は、出射側のＡのエリアから均一な分布で出射され、Ｂの領域にあるプロジェクタからの入射光は、出射側のＢの領域（エリア）から均一な分布で出射される。
入射側のＣ、Ｄ，Ｅの領域にあるプロジェクタからの入射光についても、入射側のＡ、Ｂ内のプロジェクタからの入射光と同様に、出射側のＣ、Ｄ，Ｅの領域から均一な分布で出射される。
【００６９】
図１２は、本発明の画像表示装置の一例におけるフリーアライメントエリアと観察エリアを説明をするためののもので（ａ）は画像表示装置の全体を示す光学系を示し、（ｂ）はそれに用いるスクリーンを示し、（ｃ）は入射角度（横軸）に対する入射光の光度（縦軸）を示し、（ｄ）は出射角度（横軸）に対する出射光の光度（縦軸）を示す。
図１３（ａ）〜（ｃ）は、図１２に示す画像表示装置における各画像を照射する各プロジェクタの配置が許容される領域（アライメントフリーエリア）を説明するエリア説明図であり、図１４（ａ）は図１２に示す画像表示装置における各画像を観察する観察者の観察可能な観察エリアを説明するエリア説明図、（ｂ）は出射角度（横軸）に対する出射光（縦軸）の光度を示す光学特性図である。
【００７０】
図１３（ａ）〜（ｃ）から明らかなように、プロジェクタＰｒＡ〜ＰｒＥは、各々、自己と対応する角度領域（エリア）Ａ〜Ｅ内のどの角度にあっても、クロストークを生じることなくマルチ表示ができるのである。
図１４から明らかなように、スクリーンＳｃを視認する観察者Ｈ、Ｈ、・・・は、観察者角度領域（エリア）ＡｒＡ〜ＡｒＥのいずれかの範囲にあると、その奥行の如何を問わず、その事故が存する角度領域（エリア）と対応する入射側の領域のプロジェクタＰｒからの画像光を視認することができるのである。
【００７１】
図１５（ａ）は本発明の画像表示に用いるスクリーンの一例を示し、（ｂ）はそのスクリーンを用いた画像表示装置の出射角度（横軸）に対する出射光の光度（縦軸）を示す図である。各プロジェクタからの画像光をスクリーンＳｃの出射側からクロストークなく視認できることが明らかである。
図１６はその画像表示装置の垂直方向と水平方向の出射角度に対する出射光の光度（縦軸）を示し、図１７はその画像表示装置の出射光の水平及び垂直における二次元上の光度分布図である。
これらの図から、各プロジェクタからの画像光をスクリーンＳｃの出射側からクロストークなく視認できることが明らかである。
【００７２】
図１８は本発明の別の画像表示装置の出射角度（横軸）に対する出射光の光度（縦軸）を別の例を示す図であり、図１９（ａ）〜（ｅ）は図１８の各観察エリアＡ〜Ｅの出射角度（横軸）に対する出射光の光度（縦軸）を示す図である。
この図１８、図１９からも各プロジェクタからの画像光をスクリーンＳｃの出射側からクロストークなく視認できることが明らかである。
【産業上の利用可能性】
【００７３】
本発明は異なる入射角度領域からの複数のプロジェクタから異なる複数の画像の画像光を受け異なる観察角度領域に異なる上記複数の画像の画像光を投射する画像表示装置と、それに用いるスクリーンに産業上の利用可能性がある。
【符号の説明】
【００７４】
Ｓｃ・・・スクリーン、ＰｒＡ〜Ｅ・・・プロジェクタ、
ＡｒＡ〜ＡｒＥ・・・観察角度領域（エリア）、ＩｍＡ〜ＩｍＥ・・・画像。
【図１】
2012247646.tif 000012
【図２】
2012247646.tif 000013
【図３】
2012247646.tif 000014
【図４】
2012247646.tif 000015
【図５】
2012247646.tif 000016
【図６】
2012247646.tif 000017
【図７】
2012247646.tif 000018
【図８】
2012247646.tif 000019
【図９】
2012247646.tif 000020
【図１０】
2012247646.tif 000021
【図１１】
2012247646.tif 000022
【図１２】
2012247646.tif 000023
【図１３】
2012247646.tif 000024
【図１４】
2012247646.tif 000025
【図１５】
2012247646.tif 000026
【図１６】
2012247646.tif 000027
【図１７】
2012247646.tif 000028
【図１８】
2012247646.tif 000029
【図１９】
2012247646.tif 000030
【図２０】
2012247646.tif 000031